(57)【要約】  本発明に係る空気調和機の室外機は、筐体内に圧縮機を収納した空気調和機の室外機であって、複数の第１スリットにおいて筐体と切断され、第１スリット間に設けられた複数の第１接続部で筐体と接続された第１切り取り板と、第１切り取り板に隣接し、複数の第２スリットにおいて筐体及び第１切り取り板と切断され、第２スリット間に設けられた複数の第２接続部で筐体及び第１切り取り板と接続された第２切り取り板と、を有し、複数の第１接続部のうち少なくとも１つは、第１切り取り板と第２切り取り板の境界に設けられているものである。
2017149752.tif 000002
【特許請求の範囲】
【請求項１】
筐体内に圧縮機を収納した空気調和機の室外機であって、
複数の第１スリットにおいて前記筐体と切断され、前記第１スリット間に設けられた複数の第１接続部で前記筐体と接続された第１切り取り板と、
前記第１切り取り板に隣接し、複数の第２スリットにおいて前記筐体及び前記第１切り取り板と切断され、前記第２スリット間に設けられた複数の第２接続部で前記筐体及び前記第１切り取り板と接続された第２切り取り板と、を有し、
前記複数の第１接続部のうち少なくとも１つは、前記第１切り取り板と前記第２切り取り板の境界に設けられている空気調和機の室外機。
【請求項２】
前記第１切り取り板の前記第１スリットの第１長手方向幅が、前記第２切り取り板の前記第２スリットの第２長手方向幅より小さい請求項１に記載の空気調和機の室外機。
【請求項３】
前記第１切り取り板の第１接続部幅が、前記第２切り取り板の第２接続部幅より大きい請求項１又は２に記載の空気調和機の室外機。
【請求項４】
前記第２切り取り板が、前記第２切り取り板の中に断続的に形成された複数の第３スリットと複数の第３接続部とを有する請求項１〜３のいずれか一項に記載の空気調和機の室外機。
【発明の詳細な説明】
【技術分野】
【０００１】
本発明は、空気調和機の室外機において、室外機の外部に取り回す冷媒配管や電源線などを通すためのノックアウト穴に関するものである。
【背景技術】
【０００２】
一般的な空気調和機の室外機は、室内機へ冷媒を循環させるためのガス側及び液側の２本の冷媒配管や、室内機と通信するための内外接続線、および受電用の電源線などを室外機の外部へ取り回す必要がある。そのために室外機の筐体は、ノックアウト部と呼ばれる切り取り板を切り取って貫通穴（ノックアウト穴）を形成する開口構造を有している。このノックアウト部は、切り取り板の周縁となる部分に沿って筐体に断続的にスリットと接続部とを設けることによって形成されている。室外機の据付時に、切り取り板の接続部を切断し、切り取り板を筐体から外すことでノックアウト穴を形成し、ノックアウト穴から冷媒配管や電源線を外部に取り回すことができる。【０００３】
また、室外機の筐体のノックアウト部は、複数のスリットと接続部とを設けることで複数の開口領域を選択的に形成する切り取り板を備えることができる。そのため、冷媒配管径が大きい場合や配線本数が多い場合などは、状況に合わせて必要最低限の開口領域を有する切り取り板を選択して切り取ることができる。ノックアウト穴の開口領域を必要最低限にすることで、筐体と外部に取り回す冷媒配管や電源線などとの隙間を極力小さくすることを可能とし、隙間からの空気の流入、ゴミの侵入を防止することができる（例えば、特許文献１参照）。
【先行技術文献】
【特許文献】
【０００４】
【特許文献１】特開２００９−１３９０６６号公報
【発明の概要】
【発明が解決しようとする課題】
【０００５】
特許文献１の空気調和機のノックアウト部は、機械的強度の問題から小さい開口領域を形成する切り取り板を切り取る際に、誤って大きい開口領域を形成する切り取り板が外れてしまう場合がある。切り取り板の接続部を一度切り取ってしまうとノックアウト穴の開口領域の大きさを小さくすることができず、ノックアウト穴と外部へ取り回す配管や配線との隙間が大きくなる。この状態のまま空気調和機を設置すると、水や雪、ゴミや小動物などの侵入が懸念される。【０００６】
本発明は、上記のような課題を解決するためのもので、切り取り範囲を選択できるノックアウト部において、大きい開口領域を形成する切り取り板の接続強度を強くし、小さい開口領域を形成する切り取り板を切り取る際に、大きい開口領域を形成する切り取り板が外れることのない空気調和機の室外機を得るものである。
【課題を解決するための手段】
【０００７】
本発明に係る空気調和機の室外機は、筐体内に圧縮機を収納した空気調和機の室外機であって、複数の第１スリットにおいて筐体と切断され、第１スリット間に設けられた複数の第１接続部で筐体と接続された第１切り取り板と、第１切り取り板に隣接し、複数の第２スリットにおいて筐体及び第１切り取り板と切断され、第２スリット間に設けられた複数の第２接続部で筐体及び第１切り取り板と接続された第２切り取り板と、を有し、複数の第１接続部のうち少なくとも１つは、第１切り取り板と第２切り取り板の境界に設けられているものである。
【発明の効果】
【０００８】
本発明に係る空気調和機の室外機は、複数の第１接続部のうち少なくとも１つが、第１切り取り板と第２切り取り板の境界に設けられるものである。そのため、大きい開口領域を形成する第１切り取り板と筐体との接続強度が向上し、小さい開口領域を形成する第２切り取り板を切り取る際に、誤って大きい開口領域を形成する第１切り取り板が一緒に外れてしまうことを防止することができる。
【図面の簡単な説明】
【０００９】
【図１】本発明の実施の形態１に係る空気調和機の室外機の正面方向の斜視図である。
【図２】本発明の実施の形態１に係る空気調和機の室外機の背面方向の斜視図である。
【図３】本発明の実施の形態１に係る空気調和機の室外機のノックアウト部の接続部を示す詳細図である。
【図４】本発明の実施の形態１に係る空気調和機の室外機のノックアウト部のスリットを示す詳細図である。
【図５】本発明の実施の形態１に係る空気調和機の室外機の小さい開口領域を形成する切り取り板を切り取った場合の配管及び配線を取り回した状態の斜視図である。
【図６】本発明の実施の形態１に係る空気調和機の室外機の大きい開口領域を形成する切り取り板を切り取った場合の配管及び配線を取り回した状態の斜視図である。
【図７】本発明の実施の形態２に係る空気調和機の室外機のノックアウト部の詳細図である。
【図８】本発明の実施の形態３に係る空気調和機の室外機のノックアウト部の詳細図である。
【図９】本発明の実施の形態４に係る空気調和機の室外機のノックアウト部の詳細図である。
【発明を実施するための形態】
【００１０】
実施の形態１．
図１は、本発明の実施の形態１に係る空気調和機の室外機の正面方向の斜視図である。図２は、本発明の実施の形態１に係る空気調和機の室外機の背面方向の斜視図である。図１及び図２の空気調和機の室外機１は、筐体２と、筐体２の内部に収納された熱交換器３と、熱交換器３に外気を供給するプロペラファン４と、及び図示しない圧縮機等を有する。筐体２は、圧縮機を収納する機械室の下方側壁面に設けられた、鋼板製の正面意匠パネル２ａ、側面意匠パネル２ｂ及び背面意匠パネル２ｃを備える。正面意匠パネル２ａ、側面意匠パネル２ｂ及び背面意匠パネル２ｃは、それぞれノックアウト部５ａ、ノックアウト部５ｂ、ノックアウト部５ｃを有する。室外機１の据付時の配管等の取り回し方向に基づき、いずれかのノックアウト部５ａ〜５ｃが使用される。
【００１１】
図３は、本発明の実施の形態１に係る空気調和機の室外機のノックアウト部の接続部を示す詳細図である。図４は、本発明の実施の形態１に係る空気調和機の室外機のノックアウト部のスリットを示す詳細図である。図１及び図２に示したノックアウト部５ａ〜５ｃは、いずれも同じ構造であるため、ノックアウト部５として以下に説明する。ノックアウト部５は、第１開口領域を形成する第１切り取り板８と第２開口領域を形成する第２切り取り板９を有する。第１切り取り板８は、筐体２に対し第１スリット１１ｂで切断され、第１接続部（１０ａ、１０ｂ）で接続されている。すなわち、第１切り取り板８は、筐体２に対しその周縁が第１接続部１０ｂと及び第１スリット１１ｂとによって断続的に形成されている。また、第２切り取り板９は、第１切り取り板８に隣接し、筐体２と第１切り取り板８に対し第２スリット１１ｃで切断され、第２接続部１０ｃで接続されている。すなわち、第２切り取り板９は、筐体２と第１切り取り板８に対し、その周縁が第２接続部１０ｃと及び第２スリット１１ｃとによって断続的に形成されている。
【００１２】
図３の第１接続部１０ａは、複数の第１接続部１０ｂの１つであり、第１切り取り板８と第２切り取り板９の境界の筐体２に形成されている接続部である。第１接続部１０ａは、第１切り取り板８を筐体２に保持している範囲であり、第１スリット１１ｂと第２スリット１１ｃとを明確に分断する範囲である。第１接続部１０ａは、左右両端に２つ設けるのが好ましいが、左右の一方でもよい。
【００１３】
なお、ノックアウト部５の下辺１２は、図１及び２の正面意匠パネル２ａ、側面意匠パネル２ｂ及び背面意匠パネル２ｃの周縁であるか、あるいはスリットとして切断されている。
【００１４】
次に現地での室外機１の据付状態について図３、図５及び図６に基づき説明する。図５は、本発明の実施の形態１に係る空気調和機の室外機の小さい開口領域を形成する切り取り板を切り取った場合の配管及び配線を取り回した状態の斜視図である。筐体に小さい開口領域を形成する場合は、作業者は、室外機１の据付時に正面意匠パネル２ａにおいて、図３の第２接続部１０ｃを切断することにより、第２切り取り板９を切り取る。その後、室外機１の正面側のノックアウト穴５ａ１からガス側、液側の冷媒配管６ａ及び冷媒配管６ｂ並びに配線７を室外機１の外部に取り回す。
【００１５】
図６は、本発明の実施の形態１に係る空気調和機の室外機の大きい開口領域を形成する切り取り板を切り取った場合の配管及び配線を取り回した状態の斜視図である。筐体２に大きい開口領域を形成する場合は、作業者は、図５の第２切り取り板９を切り取ると共に、図３の第１接続部１０ｂと第１接続部１０ａとを切断することにより、正面意匠パネル２ａから第１切り取り板８を切り取る。第２切り取り板９と共に第１切り取り板８を切り取ることにより大きい開口領域を形成することができる。その後、室外機１の正面側のノックアウト穴５ａ１からガス側、液側の冷媒配管６ａ及び冷媒配管６ｂ並びに配線７を室外機１の外部に取り回す。
【００１６】
上記のように、第１接続部１０ｂの１つである第１接続部１０ａを、第１切り取り板８と第２切り取り板９の境界に設けることで、第１開口領域を形成する第１切り取り板８と筐体２との接続強度が向上する。そのため、第２開口領域を形成する第２切り取り板９のみを取り外そうとした際に、第１開口領域を形成する第１切り取り板８まで取り外してしまうことを防ぐことができる。これにより、筐体と配管及び配線との隙間を必要最低限にすることができ、水やゴミ、小動物侵入の可能性を減少させることができる。
【００１７】
実施の形態２．
図７は、本発明の実施の形態２に係る空気調和機の室外機のノックアウト部の詳細図である。図１〜図３の室外機と同一の構成を有する部位には同一の符号を付してその説明を省略する。本発明の実施の形態２に係る空気調和機の室外機は、第１開口領域を形成する第１切り取り板８の第１スリット２１ｂの第１長手方向幅２１ｂＬが、第２開口領域を形成する第２切り取り板９の第２スリット２１ｃの第２長手方向幅２１ｃＬより小さくなるように形成されたものである。
【００１８】
上記のように、第１スリット２１ｂの第１長手方向幅２１ｂＬが、第２スリット２１ｃの第２長手方向幅２１ｃＬより小さくなるように形成することで、第１切り取り板８の第１接続部１０ｂの数が、第２切り取り板９の第２接続部１０ｃの数より多くなる。あるいは、第１切り取り板８の第１接続部１０ｂの幅が、第２切り取り板９の第２接続部１０ｃの幅より大きくなる。そのため、第１開口領域を形成する第１切り取り板８の筐体２との接続強度が向上し、第２切り取り板９のみを取り外そうとした際に、第１切り取り板８まで取り外れてしまうことを防ぐことができる。
【００１９】
また、第１スリット２１ｂの第１長手方向幅２１ｂＬが、第２スリット２１ｃの第２長手方向幅２１ｃＬより小さくなるように形成することで、現地作業者が視覚的に第２切り取り板９と第１切り取り板８との切り取り領域の違いを認識できる。したがって、作業者が第２切り取り板９を切り取る際に、誤って、第１切り取り板８まで切り取ってしまう可能性を減少させるという効果を有する。
【００２０】
実施の形態３．
図８は、本発明の実施の形態３に係る空気調和機の室外機のノックアウト部の詳細図である。図１〜図３の室外機と同一の構成を有する部位には同一の符号を付してその説明を省略する。本発明の実施の形態３に係る空気調和機の室外機は、第１開口領域を形成する第１切り取り板８の第１接続部３０ｂの第１接続部幅３０ｂＬの長さが、第２開口領域を形成する第２切り取り板９の第２接続部３０ｃの第２接続部幅３０ｃＬの長さより大きいものである。
【００２１】
上記のように、第１接続部３０ｂの第１接続部幅３０ｂＬの長さが、第２接続部３０ｃの第２接続部幅３０ｃＬより大きくなるように形成することで、第１切り取り板８と筐体２との接続強度が向上する。その結果、第２切り取り板９のみを取り外そうとした際に、第１切り取り板８まで取り外れてしまうことを防ぐことができる。
【００２２】
また、第１接続部３０ｂの第１接続部幅３０ｂＬの長さが、第２接続部３０ｃの第２接続部幅３０ｃＬより大きくなるように形成することで、現地作業者が視覚的に第２切り取り板９と第１切り取り板８の切り取り領域の違いを認識できる。したがって、作業者が第２切り取り板９を切り取る際に、誤って、第１切り取り板８まで切り取ってしまう可能性を減少させるという効果を有する。
【００２３】
実施の形態４．
図９は、本発明の実施の形態４に係る空気調和機の室外機のノックアウト部の詳細図である。図１〜図３の室外機と同一の構成を有する部位には同一の符号を付してその説明を省略する。本発明の実施の形態４に係る空気調和機の室外機は、第２開口領域を形成する第２切り取り板９が、第２切り取り板９ａと第２切り取り板９ｂとを有するものである。第２切り取り板９ａと第２切り取り板９ｂとの間は、第３スリット４１ｃで切断され、第３接続部４０ｃで接続されている。すなわち、第３接続部４０ｃと及び第３スリット４１ｃとが、断続的に形成されている。
【００２４】
上記のように第２開口領域を形成する第２切り取り板９が、断続的に形成されている第３接続部４０ｃと及び第３スリット４１ｃとを有することにより、さらに第２切り取り板９ａ部分のみを切り取ることができる。第１接続部１０ｂの１つである第１接続部１０ａを、第１切り取り板８と第２切り取り板９ａの境界に設けることで、第１開口領域を形成する第１切り取り板８と筐体２との接続強度が向上する。そのため、第２切り取り板９ａのみを取り外そうとした際に、第１切り取り板８まで取り外してしまうことを防ぐことができる。
【００２５】
なお、本発明の実施の形態は、上記実施の形態１〜４に限定されず、種々の変更を加えることができる。例えば、ノックアウト部５は、筐体２の圧縮機を収納する側の下方側壁面に設けられているが、プロペラファン４を収容する側や下面側などに設けられてもよい。また、筐体２はスリットを有しているが、スリットの代わりに開口形状が各種形状の貫通孔であってもよい。
【符号の説明】
【００２６】
１  室外機、２  筐体、２ａ  正面意匠パネル、２ｂ  側面意匠パネル、２ｃ  背面意匠パネル、３  熱交換器、４  プロペラファン、５  ノックアウト部、５ａ  ノックアウト部、５ａ1  ノックアウト穴、５ｂ  ノックアウト部、５ｃ  ノックアウト部、６ａ  冷媒配管、６ｂ  冷媒配管、７  配線、８  第１切り取り板、９  第２切り取り板、９ａ  第２切り取り板、９ｂ  第２切り取り板、１０ａ  第１接続部、１０ｂ  第１接続部、１０ｃ  第２接続部、１１ｂ  第１スリット、１１ｃ  第２スリット、１２  下辺、２１ｂ  第１スリット、２１ｂＬ  第１長手方向幅、２１ｃ  第２スリット、２１ｃＬ  第２長手方向幅、３０ｂ  第１接続部、３０ｂＬ  第１接続部幅、３０ｃ  第２接続部、３０ｃＬ  第２接続部幅、４０ｃ  第３接続部、４１ｃ  第３スリット。
【図１】
2017149752.tif 000003
【図２】
2017149752.tif 000004
【図３】
2017149752.tif 000005
【図４】
2017149752.tif 000006
【図５】
2017149752.tif 000007
【図６】
2017149752.tif 000008
【図７】
2017149752.tif 000009
【図８】
2017149752.tif 000010
【図９】
2017149752.tif 000011
【国際調査報告】
2017149752.tif 000012
2017149752.tif 000013
2017149752.tif 000014
2017149752.tif 000015